(57)【要約】【課題】半月状の画像表示不能な空間の活用を図る。【解決手段】定形表示部材１０１が可動枠３と遊技主体収納室２９に格納された遊技盤１５０との間に配置されて遊技盤１５０に取り付けられ、光源４８を有する表示灯基板４７と光源５０を有する表示灯基板４９とが可動枠３に取り付けられ、遊技領域１６２に行き交う球の動きと表示画面９０に表示された画像と光源４８；５０からの光で照明された定形表示部材１０１とが、遊技機枠１の前側からパネル枠５の窓８および前面パネル９を通して見え、遊技機枠１の中でも形状の大きな遊技主体収納構造体２２の一部を意匠的に造形しなくとも、光源４８；５０からの光で照明された定形表示部材１０１が遊技盤１５０の機種を表現したキャラクタの造形として遊技者に機種を適切に知らせる。【選択図】図１
2006150050.tif 000002
【特許請求の範囲】
【請求項１】
遊技機枠と、遊技機枠の前部に装着された光を透過する性質の円形な遊技領域を有する遊技盤と、遊技機枠の後部に装着された方形な表示画面を有する画像表示装置と、遊技盤の円形な遊技領域と画像表示装置の方形な表示画面とが前後方向で重なったことによって表示画面より外側に半月状の画像表示不能な空間として形成された画像表示不能空間と、画像表示不能空間を覆うように遊技盤の裏側に取り付けられた光を透過する性質の板状の定形表示部材と、定形表示部材を照射するために遊技機枠に取り付けられた光源とを備えたことを特徴とするパチンコ遊技機。
【請求項２】
遊技機枠と、遊技機枠の前部に装着された光を透過する性質の円形な遊技領域を有する遊技盤と、遊技機枠の後部に装着された方形な表示画面を有する画像表示装置と、遊技盤の円形な遊技領域と画像表示装置の方形な表示画面とが前後方向で重なったことによって表示画面より外側に半月状の画像表示不能な空間として形成された画像表示不能空間と、画像表示不能空間を覆うように遊技盤の裏側に配置された光を透過する性質の板状の定形表示部材と、定形表示部材を光で照明するように定形表示部材の裏側に配置された板状のレンズと、レンズの裏面と交差する方向から光をレンズに導入するようにレンズの裏側に配置された導光体と、導光体からレンズに導入された光をレンズから定形表示部材に向けて反射するようにレンズの裏側に配置された反射体と、導光体に光を供給するように導光体の裏側に配置された光源とを備えたことを特徴とするパチンコ遊技機。
【発明の詳細な説明】
【技術分野】
【０００１】
本発明は、遊技盤の円形な遊技領域と画像表示装置の方形な表示画面とが組み合わせられて形成される半月状の画像表示不能な空間の活用が容易なパチンコ遊技機に関する。
【背景技術】
【０００２】
球を遊技媒体に使用するパチンコ遊技機の１つであるパチンコ機には、遊技機枠の前部に光透過性の有る遊技盤を格納し、遊技機枠の後部に画像表示装置を装着し、画像表示装置の表示画面に表示された画像と遊技盤の遊技領域に行き交う球の動きとを、遊技機枠の前側から遊技者に見せるようにしたものが知られている。しかしながら、遊技盤による遊技領域が円形で、画像表示装置の表示画面が方形であるので、遊技領域と表示画面とが前後で重なるように組み合わせられた場合、表示画面より外側に半月状の画像表示不能な空間が形成される欠点がある。
【特許文献１】特開２００４−３３２５０号公報
【発明の開示】
【発明が解決しようとする課題】
【０００３】
発明が解決しようとする問題点は、画像表示装置の表示画面より外側に半月状の画像表示不能な空間としての画像表示不能空間が形成されるという点である。
【課題を解決するための手段】
【０００４】
本発明に係るパチンコ遊技機は、遊技機枠と、遊技機枠の前部に装着された光を透過する性質の円形な遊技領域を有する遊技盤と、遊技機枠の後部に装着された方形な表示画面を有する画像表示装置と、遊技盤の円形な遊技領域と画像表示装置の方形な表示画面とが前後方向で重なったことによって表示画面より外側に半月状の画像表示不能な空間として形成された画像表示不能空間と、画像表示不能空間を覆うように遊技盤の裏側に取り付けられた光を透過する性質の板状の定形表示部材と、定形表示部材を照射するために遊技機枠に取り付けられた光源とを備えたり、または、遊技機枠と、遊技機枠の前部に装着された光を透過する性質の円形な遊技領域を有する遊技盤と、遊技機枠の後部に装着された方形な表示画面を有する画像表示装置と、遊技盤の円形な遊技領域と画像表示装置の方形な表示画面とが前後方向で重なったことによって表示画面より外側に半月状の画像表示不能な空間として形成された画像表示不能空間と、画像表示不能空間を覆うように遊技盤の裏側に配置された光を透過する性質の板状の定形表示部材と、定形表示部材を光で照明するように定形表示部材の裏側に配置された板状のレンズと、レンズの裏面と交差する方向から光をレンズに導入するようにレンズの裏側に配置された導光体と、導光体からレンズに導入された光をレンズから定形表示部材に向けて反射するようにレンズの裏側に配置された反射体と、導光体に光を供給するように導光体の裏側に配置された光源とを備えたことを最も主要な特徴とする。
【発明の効果】
【０００５】
本発明に係るパチンコ遊技機は、半月状の画像表示不能空間を覆う定形表示部材が遊技盤に着脱可能に取り付けられているので、遊技機枠の中でも形状の大きな盤収納構造体の一部を意匠的に造形しなくとも、定形表示部材で遊技盤の機種を表現するように、表示部材を遊技盤の機種に適合した文字またはキャラクタまたは図柄または絵柄を表す形に造形して遊技者に機種を適切に知らせるというように、定形表示部材で画像表示不能空間を遊技の一要素として活用することができ、定形表示部材が遊技盤に取り付けられているので、遊技盤の機種が変更される場合、古い機種の遊技盤を遊技主体収納室から取り外した後に、古い定形表示部材を遊技盤から取り外し、新しい機種の遊技盤に新しい定形表示部材を取り付け、新しい機種の遊技盤を遊技主体収納室に格納することができるという利点がある。定形表示部材を照明する光源が可動枠に取り付けられているので、定形表示部材を新しいものに交換しても、光源をそのまま使用することができるという利点がある。半月状の画像表示不能空間が遊技盤の発射通路周辺の上部に形成されれば、定形表示部材が遊技釘の比較的少ない部分に配置され、定形表示部材で表現される表示が見やすいという利点がある。
【発明を実施するための最良の形態】
【０００６】
図１乃至図１１は、発明を実施するための最良の形態である。図１は、パチンコ遊技機の遊技機枠１に遊技盤１５０を格納した部分を縦に切断して示す。図２は、可動枠３の正面を示す。図３は、可動枠３と球払出装置５７とを分解して前側から示す。図４は、可動枠３と見切り構造体７１と遊技盤１５０と定形表示部材１０１とを分解して前側から示す。図５は、画像表示装置８１を開いた可動枠３を裏側から示す。図６は、定形表示部材１０１を分解して前側から示す。図７は、遊技盤１５０と定形表示部材１０１とを分解して裏側から示す。図８は、定形表示部材１０１の取り付けられた遊技盤１５０を裏側から示す。図９は、図８をＡ−Ａ線に沿い切断した断面を示す。図１０は、遊技機枠１と遊技盤１５０とを分解して前側から示す。図１１は、遊技機枠１と遊技盤１５０と定形表示部材１０１とを縦に切断して示す。この明細書において、「前」、「後」、「裏」、「左」、「右」、「上」、「下」の方向は、図１０の状態に遊技機枠１および遊技盤１５０を置いて前側から見た場合に特定される方向である。「後」と「裏」とは同じ方向である。
【０００７】
図１を参照し、遊技機枠１の遊技盤１５０を格納した部分を縦に切断した構造について説明する。遊技機枠１の前部を構成する遊技主体収納構造体２２の前部には光を透過する性質の円形な遊技領域１６２を有する遊技盤１５０が装着され、遊技機枠１の後部を構成する遊技主体収納構造体２２の後部には方形な表示画面９０を有する画像表示装置８１が装着され遊技領域１６２と表示画面９０とが遊技機枠１の画像透視開口部３６を介在して前後方向で重なることによって、表示画面９０よりも上部の外側に画像表示不能な空間としての画像表示不能空間Ｌが形成される。遊技盤１５０の裏面には、光を透過する性質の板状の定形表示部材１０１が画像表示不能空間Ｌを覆うように取り付けられる。遊技機枠１には、定形表示部材１０１を照明するＬＥＤにより形成された光源４８を有する表示灯基板４７と、定形表示部材１０１を照明するＬＥＤにより形成された光源５０を有する表示灯基板４９とが、定形表示部材１０１と対応する位置に取り付けられる。可動枠３の前側には、パネル枠５が配置される。パネル枠５における前後方向に貫通する窓８の裏面が、光を透過する性質の有る無色なガラスまたは合成樹脂からなる前面パネル９で被覆される。
【０００８】
よって、遊技領域１６２に行き交う球の動きと表示画面９０に表示された画像と光源４８；５０からの光で照明された定形表示部材１０１とが、遊技機枠１の前側からパネル枠５の窓８および前面パネル９を通して見える。このため、遊技機枠１の中でも形状の大きな遊技主体収納構造体２２の一部を意匠的に造形しなくとも、光源４８；５０からの光で照明された定形表示部材１０１が遊技盤１５０の機種を表現したキャラクタの造形として遊技者に機種を適切に知らせるというように、定形表示部材１０１で画像表示不能空間Ｌを遊技の一要素として活用することができるという利点がある。しかも、定形表示部材１０１が遊技盤１５０の裏面に取り付けられ、光源４８；５０が遊技機枠１に取り付けられたので、盤替えの場合、定形表示部材１０１を遊技盤１５０と一緒に使用済部品として遊技店から排出し、光源４８；５０を遊技機枠１と一緒にそのまま使用することができて、経済的に有利であるという利点がある。
【０００９】
図２を参照し、画像表示不能空間Ｌを前側から見た形状について説明する。遊技盤１５０の遊技領域１６２は、内ガイドレール１５５と外ガイドレール１５６とで囲まれた円形に構成される。そして、遊技盤１５０が可動枠３の遊技主体収納室２９に装着されることによって、円形な遊技領域１６２と方形な画像透視開口部３６の裏側に配置された表示画面９０とが前後で重なり、外ガイドレール１５６の上部が画像透視開口部３６の上縁部よりも上方に配置され、画像表示不能空間Ｌが外ガイドレール１５６の上側に膨らむ円弧と画像透視開口部３６の上縁部である直線とで囲まれた半月状に形成される。そして、画像表示不能空間Ｌが、遊技盤１５０における球発射通路１５４から球の飛び出す遊技釘１６９の比較的少ない部分に配置されているので、図１の定形表示部材１０１で表現される形の不変な表示が見やすいという利点がある。
【００１０】
図３を参照し、遊技機枠１に表示灯基板４７；４９を取り付ける構造について説明する。遊技機枠１の可動枠３は、可動枠本体２１と遊技主体収納構造体２２とを備える。可動枠本体２１は、前後方向に開放された縦長な長方形の空間を囲む額縁形状である。可動枠本体２１には、枠前壁２３が可動枠本体２１の裏側から内部を塞ぐように延設される。枠前壁２３にはロック機構２４；２５；２６、ロック解除機構２７、施錠機構２８、遊技主体収納室２９が設けられる。ロック機構２４乃至２６とロック解除機構２７および施錠機構２８は、枠前壁２３の右側部に設けられる。遊技主体収納室２９は、枠前壁２３の左右方向の中央に位置し、可動枠３の前側に開口し、前側から裏側に窪む、前面から見て方形に形成される。遊技主体収納室２９の背壁には、中央開口部３０、遊技主体押圧部３１、遊技主体受止部３２、遊技主体ロック部材３３、見切り係合孔３４が設けられる。中央開口部３０は、前面から見て方形な、前後方向への貫通孔として形成される。中央開口部３０には、覆部３５が、中央開口部３０の周縁部から裏側に突出した後に内部に突出する。覆部３５には、画像透視開口部３６が、前面から見て方形な、前後方向への貫通孔として形成される。遊技主体押圧部３１および遊技主体受止部３２は、遊技主体収納室２９の左側部で上下に配置される。遊技主体ロック部材３３は、遊技主体収納室２９の右側部で上下に配置され、ロック操作部３７を備える。ロック操作部３７は、遊技主体収納室２９の背壁に設けられた遊技主体ロック部材３３の台座から前側に突出した操作軸の端部に固定された横長な形態である。見切り係合孔３４は、光透過孔５１を避けるように、遊技主体収納室２９の上部の左右に位置し、前後方向への貫通孔として形成される。覆部３５には、固定具係合孔３８が、下部の左右に位置し、覆部３５の前側から内部への窪みとして形成される。遊技主体収納室２９の下縁部は、左右方向に平坦な面としての遊技主体棚３９を構成する。遊技主体棚３９よりも下部における枠前壁２３の前面には、球発射機構４１、発射レール４２、ファール球取入口部４３、前横樋４４を備える。遊技主体棚３９の裏側には、球機外排出樋４５が設けられる。
【００１１】
画像透視開口部３６を囲む覆部３５における上縁部の前面と左縁部の前面および右縁部の前面には、表示灯基板４７が個別に設けられる。表示灯基板４７は、前面に光源４８を備え、裏面に図外のコネクタを備える。覆部３５の上縁部と左縁部および右縁部のそれぞれには、図外のコネクタ用孔が、前後方向への貫通孔として個別に設けられる。そして、表示灯基板４７が覆部３５に前側から図外のタッピングスクリューのような止ねじで取り付けられた場合、上記表示灯基板４７のコネクタが、コネクタ用孔から覆部３５の裏側に突出する。覆部３５の上縁部における表示灯基板４７の光源４８は、上下２列になっている。覆部３５の上縁部よりも上部に位置する遊技主体収納室２９の背壁には、表示灯基板４９が設けられる。表示灯基板４９は、前面に光源５０を上下２列に備え、裏面に図外のコネクタを備える。遊技主体収納室２９の背壁には、光透過孔５１が、上縁部における表示灯基板４７の左側および上側を囲むように、前後方向への貫通孔として形成される。
【００１２】
球払出装置５７の装置基板５８には、基板収納室５９が、球払出装置５７のタンク構造体６０および球払出機構６１よりも下部に位置し、装置基板５８の前側から裏側に窪む形状に形成される。基板収納室５９には、図外のコネクタ用孔が、前後方向への貫通孔として設けられる。表示灯基板４９が基板収納室５９に前側から図外のタッピングスクリューのような止ねじで取り付けられた場合、上記表示灯基板４９のコネクタが、コネクタ用孔から基板収納室５９の裏側に突出する。装置基板５８が遊技主体収納室２９の裏面に取り付けられることによって、表示灯基板４９が遊技主体収納室２９の光透過孔５１と対応する。表示灯基板４７；４９のコネクタには、覆部３５の裏側または遊技主体収納室２９の裏側から図外の別々の配線に結線された複数のコネクタが個別に接続される。表示灯基板４７における上一列の光源４８と、表示灯基板４９の光源５０とが、図４の定形表示部材１０１を裏側から照明する光源を構成する。覆部３５の上縁部における表示灯基板４７の下一列の光源４８と、覆部３５の左縁部における表示灯基板４７の光源４８と、覆部３５の右縁部における表示灯基板４７の光源４８とが、図４の見切り構造体７１の前側を照明する光源を構成する。
【００１３】
図４を参照し、可動枠３と見切り構造体７１および遊技盤１５０の構造について説明する。見切り係合孔３４および固定具係合孔３８は、可動枠３に見切り構造体７１を取り付けるための部分である。見切り構造体７１は、光を遮断する性質の有る合成樹脂により、角筒部７２と支持部７３および固定具取付部７４を一体に形成した構造である。角筒部７２は、前後方向に貫通する角形開口部７５を囲む形状である。角筒部７２における左右に相対峙する側壁部と側壁部につながる上壁部とが、前側から後側に行くにしたがって角形開口部７５の側に傾斜している。この角筒部７２における左右の側壁部と上壁部の傾斜した部分には、光透過孔７６が、前後方向への貫通孔として形成される。角筒部７２の下壁部には、逃部７７が、左右方向の中央に位置して設けられる。逃部７７は、角筒部７２における下壁部の前側および上下に開口した形状である。支持部７３は、遊技主体収納構造体２２に引っ掛ける部分であって、角筒部７２の上部の左右に位置して設けられる。支持部７３は、角筒部７２から上方に延びた縦片部と、縦片部の上端から裏側に向けて突出した横片部と、横片部の後端から下方に折れ曲がった規制片部とを備える。固定具取付部７４は、角筒部７２の下部の左右に位置し、角筒部７２から下方に突出する。固定具取付部７４には、固定具７８が個別に設けられる。
【００１４】
見切り構造体７１は、可動枠３に、次のように取り付けられる。角筒部７２が画像透視開口部３６に前側から挿入され、支持部７３が見切り係合孔３４に前側から挿入されて下方に移動されると、支持部７３の規制片部が遊技主体収納室２９における見切り係合孔３４の周りの裏面と対向し、支持部７３の横片部が見切り係合孔３４の下縁部に搭載され、支持部７３の縦片部が遊技主体収納室２９における見切り係合孔３４の周りの前面と対向する。つまり、支持部７３が遊技主体収納室２９における見切り係合孔３４の周りを前後方向から挟む格好で遊技主体収納室２９に支持される。そして、固定具７８が、固定具係合孔３８に前側から挿入されて係合すると、固定具取付部７４の裏面が覆部３５の前面に接触する。これによって、見切り構造体７１の前部が、可動枠３の覆部３５を前側から覆い隠して中央開口部３０に位置され、見切り構造体７１が可動枠３に取り付けられる。見切り構造体７１が可動枠３に取り付けられた形態は、図１０を参照。遊技主体収納構造体２２の裏面には画像表示装置８１が設けられる。画像表示装置８１の裏面には、主制御装置８２、複合制御装置８３、表示駆動回路装置８４が取り付けられる。主制御装置８２が下部に位置し、複合制御装置８３が主制御装置８２よりも上部に位置し、表示駆動回路装置８４が主制御装置８２および複合制御装置８３よりも側部に位置する。複合制御装置８３には、表示灯基板４７；４９のコネクタに接続された前述した図外の別々の配線が接続される。
【００１５】
遊技盤１５０は、周辺飾り構造体１５１と板状構造体１５２とを備える。周辺飾り構造体１５１は、非遊技領域を形成する光を遮断する性質の有る合成樹脂からなり、丸形開口部１５３、球発射通路１５４、内ガイドレール１５５、外ガイドレール１５６、球戻り防止弁１５７、球反発体１５８、証紙台１５９、取付部１６０を備える。丸形開口部１５３は、周辺飾り構造体１５１の中央に、前後方向への貫通孔として形成される。球発射通路１５４は、丸形開口部１５３の左側部に前側に開放された縦溝形状である。内ガイドレール１５５は、球発射通路１５４の右側面および当該右側面から右側に弧状に延長する丸形開口部１５３の下部弧状側面により形成される。外ガイドレール１５６は、球発射通路１５４の左側面と当該左側面から右側に弧状に延長する丸形開口部１５３の上部弧状側面とにわたり設けられた金属からなる帯板状である。球戻り防止弁１５７は、遊技領域１６２から球発射通路１５４への球の侵入を防止するものである。球反発体１５８は、衝突した球を遊技領域１６２の中央の側に向けて反射するものである。取付部１６０は、遊技盤１５０を可動枠３の遊技主体収納室２９に固定するためのものであって、周辺飾り構造体１５１の右側部の上下に位置して設けられる。証紙台１５９は、周辺飾り構造体１５１の右側の下部に、前後方向に開閉可能に設けられる。証紙台１５９が、周辺飾り構造体１５１との連結部である図外のヒンジを中心として前方に開かれることによって、下部の取付部１６０が、周辺飾り構造体１５１の前側から見える格好となる。そして、証紙台１５９が上記ヒンジを中心として後方に閉じられて周辺飾り構造体１５１で受け止められると、下部の取付部１６０が証紙台１５９で覆われて周辺飾り構造体１５１の前側から見えなくなる。閉じられた証紙台１５９の前面には、図外の証紙が貼り付けられる。証紙は、遊技盤１５０の検査に合格して販売の認可を受けたことを示す部材である。取付部１６０は、遊技主体収納室２９の遊技主体ロック部材３３と係合するロック挿入孔１６１を備える。
【００１６】
板状構造体１５２は、光を透過する性質の有る合成樹脂からなり、周辺飾り構造体１５１の裏側に取り付けられることによって、球発射通路１５４を除く丸形開口部１５３で囲まれた内側の遊技領域１６２を形成する。板状構造体１５２の前面には、チャッカ１６３、一般入賞部品１６４、始動入賞部品１６５、可変入賞部品１６６、センター飾り１６７、風車１６８、遊技釘１６９、アウト口１７０からなる前部品が、遊技領域１６２に取り付けられる。板状構造体１５２の裏面には、定形表示部材１０１が、板状構造体１５２の上部にタッピングスクリューのような止ねじ１１２で裏側から取り付けられ、球案内体１７１が下部に取り付けられる。球案内体１７１は、集合樋と呼ばれ、遊技領域１６２から一般入賞部品１６４、始動入賞部品１６５、可変入賞部品１６６に取り込まれて板状構造体１５２の裏面に排出された球を下方の球機外排出樋４５に排出する。
【００１７】
図５を参照し、可動枠３の裏側の構造について説明する。可動枠３の裏部、具体的には、遊技主体収納構造体２２の裏面には、球払出装置５７、画像表示装置８１、電源装置８５、発射払出制御装置８６が設けられる。球払出装置５７は、装置基板５８、タンク構造体６０、球払出機構６１、縦樋６２を備える。装置基板５８は横長な板状である。タンク構造体６０および球払出機構６１が装置基板５８に左右に並べられて取り付けられる。そして、装置基板５８が遊技主体収納構造体２２の裏面に取り付けられることによって、タンク構造体６０および球払出機構６１が遊技主体収納構造体２２における画像透視開口部３６よりも上部の位置で左右に並べられた形態となる。タンク構造体６０は、遊技店の島と呼ばれる図外のパチンコ遊技機設置構造体における球補給機構から供給された球を貯蔵する上方に開口した球貯蔵室６３、球貯蔵室６３に貯蔵された球を球払出機構６１の球払出動作に伴い球貯蔵室６３から球払出機構６１に誘導する球通路６４を備える。球払出機構６１は、球払出機構６１における筐体の内部にスプロケットのような球払出体６５と図外の払出球検出器とを備え、上記筐体の外部に球払出体６５を回転駆動するステップモータのような図外のモータを備え、タンク構造体６０から球払出機構６１に球が供給されている状態において、球払出体６５がモータで一方向に回転駆動されると、球払出体６５が球を１個ずつ分離しつつ賞球または貸球として払い出し、払出球検出器が球払出体６５から払い出された球を電気的に検出して払出球検出信号を発射払出制御装置８６および図４の主制御装置８２に出力する。
【００１８】
縦樋６２は、遊技主体収納構造体２２の左側部で遊技主体収納構造体２２の裏面に取り付けられる。縦樋６２の内部に設けられた球通路６６は、払出球検出器を通過して球払出機構６１から下部に排出された球を下部の満タン検出装置６７に排出する通路であって、縦樋６２を後から見た場合、球を一列で上から下に流し、縦樋６２を左右方向の横から見た場合、球を一列で前後に蛇行しつつ上から下に流す形態である。つまり、縦樋６２における左右方向の横幅は、球を一列で上から下に誘導する細い寸法になっている。満タン検出装置６７は、縦樋６２の真下で遊技主体収納構造体２２の裏面に取り付けられる。満タン検出装置６７の出口は、前横樋４４（図４参照）に接続される。遊技主体収納構造体２２の裏面には、固定具係合孔６８が、画像透視開口部３６の周囲に位置し、遊技主体収納構造体２２の裏面から前側に窪む形態に設けられる。
【００１９】
画像表示装置８１は、前側に四角形に開口した光を遮断する性質の有る合成樹脂からなる筐体８７の内部に画像制御装置８８と画像表示器８９とを格納し、画像表示器８９の表示画面９０を筐体８７の開口の方向に向け、画像制御装置８８と画像表示器８９とを筐体８７にタッピングスクリューのような図外の止ねじで固定した構造である。画像表示器８９が液晶表示器の場合、バックライトや導光部材および光拡散部材などのような画像表示器８９の表示画面９０を全体的に照明するバックライト機構部材が、画像表示器８９に含まれる。画像表示器８９よりも前側に突出する筐体８７の上部および下部には、固定具取付部９１を個別に備える。筐体８７の上部に設けられる固定具取付部９１は、筐体８７の左右方向の中央に位置し、筐体８７の上部から上方に突出する。筐体８７の下部に設けられる固定具取付部９１は、筐体８７の左端部に位置し、筐体８７の左端部から下方に突出する。固定具取付部９１には固定具９２が個別に設けられる。画像表示装置８１は、遊技主体収納構造体２２の裏側に表示側ヒンジおよび枠側ヒンジからなるヒンジ９３で後側横方向に片開き可能に取り付けられる。
【００２０】
画像表示装置８１がヒンジ９３を中心として可動枠３の方向（矢印Ｘ１で示す方向）に閉じられると、筐体８７の画像表示器８９よりも前側に突出した前部が、見切り構造体７１における可動枠３の画像透視開口部３６を前側から裏側に貫通して可動枠３より裏側に突出した後部を、外側から包むように、見切り構造体７１の後部に嵌め込まれる。そして、固定具９２が固定具係合孔６８に裏側から挿入されて係合すると、固定具取付部９１の前面が可動枠３における固定具係合孔６８の周囲の裏面に接触し、画像表示装置８１が可動枠３に閉じた状態に支持される。電源装置８５は、パチンコ遊技機設置構造体に設けられる図外の島電源装置から供給される２４ボルトの交流電源をパチンコ機に使用する、例えば５ボルト、１２ボルト、２４ボルトなどの電圧の直流電源に変換して出力するとともに２４ボルトの交流電源もそのまま出力する機能を備え、遊技主体収納構造体２２の裏側の右側に位置し、枠前壁２３の裏面に取り付けられる。発射払出制御装置８６は、電源装置８５を裏側から覆うように、枠前壁２３の裏面に取り付けられる。
【００２１】
図６を参照し、定形表示部材１０１の構造について説明する。定形表示部材１０１は、表示ケース１０２と表示板１０３およびレンズ体１０４を備える。表示ケース１０２と表示板１０３およびレンズ体１０４は、互いに別々に形成される。そして、表示ケース１０２と表示板１０３およびレンズ体１０４が、互いに組み合わせることによって、定形表示部材１０１を構成する。これによって、表示ケース１０２と表示板１０３よりも光の乱射のための表面処理の施された高価なレンズ体１０４とを再使用し、レンズ体１０４よりも安価な表示板１０３を新しい物に交換することができるという利点がある。表示ケース１０２は、光を遮断する性質の有る合成樹脂により、ケース前壁１０５、透過孔１０６、周壁１０７、突起１０８、残渣孔１０９、表示体係合孔１１０、ねじ挿入孔１１１を一体に形成した構造である。ケース前壁１０５は、左右方向に長い帯板状である。透過孔１０６は、図２の画像表示不能空間Ｌと対応する半月形であって、ケース前壁１０５に前後方向への貫通孔として形成される。周壁１０７は、ケース前壁１０５の上縁部と下縁部および左縁部から裏側に突出する。下側の突起１０８は、ケース前壁１０５の下縁に設けられた周壁１０７の後端から上方に向けて突出する。突起１０８の前面とケース前壁１０５の裏面との間には、表示板１０３およびレンズ体１０４を挿入する溝が形成される。上側および左側の突起１０８については、図７で説明する。残渣孔１０９は、上側および左側の突起１０８を形成する成形型要素を抜いた跡として、ケース前壁１０５に前後方向への貫通孔として形成される。表示体係合孔１１０は、定形表示部材１０１が表示ケース１０２に装着された場合に、表示板１０３の係合片１１５と係合することによって、表示板１０３が表示ケース１０２から抜けるのを防止するための孔であって、ケース前壁１０５の右側に位置し、ケース前壁１０５に前後方向への貫通孔として形成される。ねじ挿入孔１１１は、表示ケース１０２を図６の遊技盤１５０に取り付けるタッピングスクリューのような止ねじ１１２のねじ部を挿入するための孔であって、ケース前壁１０５の左側と右側とに位置し、ケース前壁１０５に前後方向への貫通孔として形成される。
【００２２】
表示板１０３は、光を透過する性質の有る無色な合成樹脂からなる、左右方向に長い帯板状である。表示板１０３の前面または裏面には、遊技盤１５０の機種を表現した文字やキャラクタなどの図柄または絵柄が、光を透過する性質の有る印刷インクにより印刷で設けられる。表示板１０３には、挿入片１１３、逃孔１１４、係合片１１５、残渣孔１１６、位置決め突起１１７が、設けられる。逃孔１１４、係合片１１５、残渣孔１１６、位置決め突起１１７は、表示板１０３が、表示ケース１０２に装着された場合に透過孔１０６と対応する仮想線で示す透過孔対応領域１１９よりも外側に配置される。挿入片１１３は、表示板１０３の左縁部から左側に直線的に突出する。逃孔１１４は、止ねじ１１２の頭部を逃げるためのものであって、表示板１０３の左側部と右側部とに位置し、止ねじ１１２の頭部の外径よりも大きな直径に設けられる。係合片１１５は、表示板１０３の右側部に設けられ、係合片１１５の左側部が表示板１０３に連接され、係合片１１５の上縁部と下縁部および右縁部が表示板１０３から切り離された、片持ち梁のような形態であって、表示板１０３との連接部分を中心として、全体的に表示板１０３から前側に突出した、弾性片として形成される。表示板１０３には、係合片１１５を切り起こした跡として、残渣孔１１６が形成される。位置決め突起１１７は、逃孔１１４および係合片１１５よりも内側で左右に位置し、表示板１０３の裏面から裏側に突出する。レンズ体１０４は、光を拡散する性質の有る無色な合成樹脂からなる、左右方向に長い帯板状である。レンズ体１０４の裏面には、入射する光を拡散させる凹凸を備える。レンズ体１０４には、位置決め孔１１８が、レンズ体１０４が表示ケース１０２に装着された場合に透過孔１０６と対応する仮想線で示す透過孔対応領域１２０よりも外側の位置に、前後方向への貫通孔として形成される。
【００２３】
図７を参照し、遊技盤１５０の裏面に定形表示部材１０１を取り付ける構造について説明する。遊技盤１５０には、表示取付部１７３が、遊技盤１５０の上部の左側と右側とに位置して、設けられる。表示取付部１７３は、遊技盤１５０の周辺飾り構造体１５１から裏側に突出し、遊技盤１５０の板状構造体１５２に形成された貫通孔１７４に板状構造体１５２の前側から挿入され、板状構造体１５２の裏面から板状構造体１５２の裏側に突出しない。表示取付部１７３には、ねじ締結孔１７５が、表示取付部１７３の裏面から内部への窪みとして形成される。表示ケース１０２における上側の突起１０８が、ケース前壁１０５の上縁部に設けられた周壁１０７の後端から下方に向けて突出する。表示ケース１０２における左縁部の突起１０８が、ケース前壁１０５の左縁部に設けられた周壁１０７の後端から右側に向けて突出する。これらの突起１０８の前面とケース前壁１０５の裏面との間には、定形表示部材１０１およびレンズ体１０４を挿入する溝が形成される。
【００２４】
定形表示部材１０１の遊技盤１５０の裏面への取り付け方について説明する。ケース前壁１０５の前面が遊技盤１５０の裏面の側に向けられ、止ねじ１１２のねじ部が表示ケース１０２のねじ挿入孔１１１から遊技盤１５０における表示取付部１７３のねじ締結孔１７５に締結されると、止ねじ１１２の頭部がケース前壁１０５のねじ挿入孔１１１の周囲の裏面に接触し、ケース前壁１０５の前面が遊技盤１５０の裏面に接触し、表示ケース１０２が２本の止ねじ１１２で取り付けられる。表示板１０３における左縁部が表示ケース１０２の裏側からケース前壁１０５の裏面に重ね合わされた後、表示板１０３が表示ケース１０２に対し右側から左側に移動させられるように直線的に挿入されるのに伴い、表示板１０３の上縁部および下縁部が突起１０８の前面とケース前壁１０５の裏面との間における溝に挿入され、係合片１１５がケース前壁１０５の裏面に接触してケース前壁１０５から裏側への押圧力で定形表示部材１０１の側に撓み、表示板１０３の挿入片１１３が左側における突起１０８の前面とケース前壁１０５の裏面との間における溝に挿入され、係合片１１５が自身の弾性でケース前壁１０５の裏面から表示体係合孔１１０に取り込まれると、表示板１０３の逃孔１１４が表示ケース１０２を遊技盤１５０に固定した２本の止ねじ１１２の頭部と対向し、表示板１０３が表示ケース１０２に取り付けられる。
【００２５】
レンズ体１０４における左縁部が表示ケース１０２の裏側から表示板１０３の裏面に重ね合わされた後、レンズ体１０４が表示ケース１０２に対し右側から左側に移動させられるように直線的に挿入されるのに伴い、レンズ体１０４の上縁部および下縁部が突起１０８の前面とケース前壁１０５の裏面との間における溝に挿入され、最後に、レンズ体１０４の左縁部が左側における突起１０８の前面とケース前壁１０５の裏面との間における溝に挿入され、表示板１０３の位置決め突起１１７とレンズ体１０４の位置決め孔１１８とが互いに嵌め合わされ、レンズ体１０４が表示ケース１０２に取り付けられる。これによって、定形表示部材１０１が図８に示すように遊技盤１５０の裏面に取り付けられ、表示板１０３の逃孔１１４と表示ケース１０２を遊技盤１５０に固定した止ねじ１１２の頭部とが図９に示すように対向する。定形表示部材１０１が遊技盤１５０の裏面に取り付けられた場合、逃孔１１４が、図８に示すように、レンズ体１０４で覆われていないので、人が、止ねじ１１２を工具で弛緩操作することによって、定形表示部材１０１を遊技盤１５０から取り外すことができるという利点がある。定形表示部材１０１が遊技盤１５０の裏面に取り付けられた状態において、人が、位置決め突起１１７と位置決め孔１１８との嵌合が外れる力で、レンズ体１０４を右側に引くと、レンズ体１０４を表示ケース１０２から取り外すことができるという利点がある。そして、レンズ体１０４が取り外された状態において、人が、係合片１１５を表示体係合孔１１０から裏側に引き出し、表示板１０３を右側に引くと、表示板１０３を表示ケース１０２から取り外すことができるという利点がある。
【００２６】
図１０を参照し、パチンコ機における遊技機枠１の構造について説明する。遊技機枠１は、固定枠２の前側に可動枠３を左側に位置するヒンジ４で前側の横方向に片開き可能に取り付け、可動枠３の前側に、パネル枠５および球皿構造体６を左側に位置するヒンジ７で前側の横方向に片開き可能に取り付けた、構造である。固定枠２は、パチンコ遊技機設置構造体に取り付けるための外枠と呼ばれ、前後方向に開放された縦長な長方形の空間を囲む額縁形状である。可動枠３は、前枠または中枠と呼ばれる。球皿構造体６の前面には、球受皿部１０と球発射操作機構１１とを備える。球皿構造体６の裏面には、球取入口１２、球供給口１３を備える。
【００２７】
可動枠３が、閉じられた場合、ロック機構２４によって、固定枠２に、開閉不能に支持される。パネル枠５が、閉じられた場合、ロック機構２５によって、可動枠３に、開閉不能に支持される。球皿構造体６が、閉じられた場合、ロック機構２６によって、可動枠３に、開閉不能に支持される。可動枠３やパネル枠５および球皿構造体６が、閉じられ、ロック機構２４乃至２６で、可動枠３に開閉不能に支持された状態において、遊技店の店員が、図外のキープレート（鍵）を遊技機枠１の前側から施錠機構２８の鍵穴２８ａに挿入し、当該キープレートを例えば右側に９０度回転操作すると、固定枠２と可動枠３とのロック機構２４による支持形態が解除される。この支持形態の解除後に、店員が、可動枠３を前側に引くことによって、可動枠３は、ヒンジ４を中心として前側に片開きされる。
【００２８】
上記施錠機構２８の鍵穴２８ａに挿入されたキープレートが、人によって例えば左側に９０度回転操作されると、可動枠３とパネル枠５とのロック機構２５による支持形態が解除される。この支持形態の解除後に、店員が、パネル枠５を前側に引くことによって、パネル枠５は、ヒンジ７を中心として前側に片開きされる。このように、パネル枠５が、前側に開かれた状態において、店員が、可動枠３の前面のロック解除機構２７を操作すると、可動枠３と球皿構造体６とのロック機構２６による支持形態が解除される。この支持形態の解除後に、店員が、球皿構造体６を前側に引くことによって、球皿構造体６は、ヒンジ７を中心として前側に片開きされる。
【００２９】
見切り構造体７１が可動枠３に取り付けられ、球皿構造体６が少なくとも開けられた状態において、遊技盤１５０の遊技領域１６２が前側に向けられ、遊技盤１５０の裏面が可動枠３の方向に向けられ、遊技盤１５０が遊技機枠１の前側から遊技主体収納室２９に挿入され、遊技盤１５０の下部が遊技主体棚３９の上に載せられ、遊技盤１５０の左側部が遊技主体押圧部３１と遊技主体受止部３２との間に挿入されて前後方向から挟まれた後、遊技盤１５０の右側部が作業者によって後側に押され、遊技主体ロック部材３３のロック操作部３７が取付部１６０のロック挿入孔１６１に後側から挿入されて前側に突出した状態において、作業者がロック操作部３７を例えば右方向に９０度回転操作すると、ロック操作部３７がロック挿入孔１６１の周りにおける取付部１６０と係合し、遊技盤１５０が可動枠３に取り付けられる。
【００３０】
遊技盤１５０が可動枠３に取り付けられ、表示画面９０が見切り構造体７１を裏側から塞ぎ、パネル枠５および球皿構造体６が閉じられて可動枠３に支持された後、遊技店の従業員が図５の電源装置８５の電源スイッチを投入すると、電源装置８５が供給された交流電源を直流電源に変換し、変換した直流電源を図５に示す発射払出制御装置８６、図４の表示駆動回路装置８４、主制御装置８２、複合制御装置８３、図５の画像制御装置８８に供給し、画像制御装置８８が主制御装置８２からの制御信号により表示画面９０に画像を表示させ、複合制御装置８３が主制御装置８２からの制御信号により表示灯基板４７；４９を動作させる。そして、遊技者が球皿構造体６の球受皿部１０に球を入れて発射操作機構１１を操作すると、発射払出制御装置８６が球発射機構４１を発射操作機構１１から出力された操作量に応じた発射力で例えば１分間に１から１００発未満までの所定数の間隔で駆動し、球発射機構４１が球受皿部１０から球供給口１３を経由して球発射レール４２に供給された球を１個ずつ遊技盤１５０の球発射通路１５４に向けて発射する。球発射通路１５４に発射された球が、球発射通路１５４から球戻り防止弁１５７を押し開けて遊技領域１６２に到達した後に遊技領域１６２を流下する。これによって、遊技者は、表示画面９０に映し出された画像と、表示灯基板４７；４９からの光で照明された定形表示部材１０１による定形な意匠的な表示とを、遊技領域１６２の全域に見ながら、遊技領域１６２に行き交う球の動きを見ることができる。
【００３１】
球が遊技領域１６２を流下する過程において、チャッカ１６３、一般入賞部品１６４、始動入賞部品１６５、可変入賞部品１６６などのいずれかの入賞部品に入賞し、それぞれの入賞に対応する賞球としての球が、球払出機構６１から前横樋４４と球取入口１２を経由して球受皿部１０に払い出される。一般入賞部品１６４、始動入賞部品１６５、可変入賞部品１６６に入賞した球は、遊技盤１５０の裏側に排出される。一般入賞部品１６４、始動入賞部品１６５、可変入賞部品１６６などの入賞部品に入賞しないで遊技領域１６２の最下部に流れた球は、アウト口１７０に取り込まれて遊技盤１５０の裏側に排出される。遊技盤１５０の裏側に排出された球は、球案内体１７１から下方の球機外排出樋４５に排出される。球発射機構４１から球発射通路１５４に発射された球が、球戻り防止弁１５７を押し開けることなく球発射通路１５４を下方に向けて落下すると、当該落下した球は、ファール球取入口部４３から前横樋４４および球取入口１２を経由して球受皿部１０に払い出される。
【００３２】
図１１を参照し、表示灯基板４７；４９からの光が定形表示部材１０１で照明することを説明する。遊技主体収納室２９に設けられた表示灯基板４９における光源５０から出力された光Ｘ２と、画像透視開口部３６を囲む覆部３５の上縁部に設けられた表示灯基板４７における上一列の光源４８から出力された光Ｘ３とが、前側に位置する定形表示部材１０１のレンズ体１０４に入射する。このレンズ体１０４に入射した光が、レンズ体１０４の内部で拡散されて表示板１０３を裏側から全体的に照明する。この照明された表示板１０３における印刷された文字やキャラクタなどの図柄または絵柄が、表示ケース１０２の透過孔１０６を裏側から前側に通過して遊技盤１５０の画像表示不能空間Ｌに映し出される。よって、人が、画像表示不能空間Ｌに映し出された表示板１０３における印刷された文字やキャラクタなどの図柄または絵柄を、遊技盤１５０の前側から見ることができるという利点がある。また、表示灯基板４７における下一列の光源４８の前側には、見切り構造体７１の光透過孔７６が配置される。よって、表示灯基板４７における下一列の光源４８から出力された光Ｘ４が、光透過孔７６を裏側から前側に通過し、見切り構造体７１における角筒部７２の前側の周囲を照明する。このため、人が、遊技盤１５０の前側から見切り構造体７１を見た場合、表示画面９０に表示された画像を鮮明に見ることができるという利点がある。また、角筒部７２における角形開口部７５を囲む面が、クロームまたはニッケルのような金属色の有るメッキまたは白色系塗料で形成された反射被膜で覆われれば、上記光透過孔７６を通過した光Ｘ４が反射被膜で反射して角形開口部７５の前側の周囲を一層明るく照明することができる。
【産業上の利用可能性】
【００３３】
図１１における光Ｘ２；Ｘ３の光拡散は低下するが、レンズ体１０４は設けなくてもよい。
【００３４】
図１２乃至図１５は、異なる形態である。図１２は、可動枠３および見切り構造体７１を分解して前側から示す。図１３は、見切り構造体７１と表示灯基板１２５と導光体１２６とを分解して裏側から示す。図１３では、表示灯基板１２５および導光体１２６を見切り構造体７１に対し拡大して図示してある。図１４は、定形表示部材１０１と遊技盤１５０とを分解して裏側から示す。図１５は、可動枠３と定形表示部材１０１と遊技盤１５０とを縦に切断して示す。
【００３５】
図１２を参照し、可動枠３および見切り構造体７１における最良の形態と異なる構造について説明する。可動枠３には、ねじ締結孔１２１および光源収容部１２２が設けられる。ねじ締結孔１２１は、図４の固定具係合孔３８に代わり、遊技主体収容構造体２２に、前後方向への貫通孔として形成される。光源収容部１２２は、遊技主体収容構造体２２に、左右の見切り係合孔３４の間に位置し、前方および下方に開口し、中央開口部３０から上部および裏側への窪みとして形成される。見切り構造体７１には、ねじ取付部１２３、除去部１２４、表示灯基板１２５、導光体１２６が設けられる。ねじ取付部１２３は、図４の固定具取付部７４に代わり、角筒部７２の下部に設けられる。ねじ取付部１２３には、ねじ挿入孔１２７が前後方向への貫通孔として形成される。見切り構造体７１には、図４の光透過孔７６が設けられていない。そして、見切り構造体７１が可動枠３の前側から中央開口部３０に挿入され、表示灯基板１２５および導光体１２６が光源収容部１２２に収容され、支持部７３が見切り係合孔３４に挿入されて係合し、タッピングスクリューのような止ねじ１２８が見切り構造体７１の前側からねじ挿入孔１２７を経由してねじ挿入孔１２１に締結されることによって、見切り構造体７１が可動枠３に固定的に取り付けられる。表示灯基板１２５および導光体１２６の見切り構造体７１への取付構造については、図１３で後述する。
【００３６】
図１３を参照し、見切り構造体７１の表示灯基板１２５および導光体１２６を取り付けるための構造、表示灯基板１２５の構造、導光体１２６の構造について説明する。見切り構造体７１には、導光係合部１２９、導光取付部１３０、基板収容部１３１、基板取付部１３２、配線孔１３３が設けられる。導光係合部１２９は、見切り構造体７１の間に位置し、見切り構造体７１の上フランジ１３４から上方に突出した一対の突起に、導光体１２６を見切り構造体７１の裏側から嵌め込む、裏側および左右方向に開口した溝として形成される。導光取付部１３０は、基板収容部１３１に位置し、上フランジ１３４に、ねじ締結孔として形成される。基板収容部１３１は、上フランジ１３４の後端面から内部に窪むとともに上下方向に開口した溝として形成される。基板取付部１３２は、基板収容部１３１の内部で左右に位置し、見切り構造体７１にねじ締結孔として形成される。配線孔１３３は、基板収容部１３１よりも右側に位置し、上フランジ１３４の後端面から内部に窪むとともに上下方向に開口した溝として形成される。
【００３７】
表示灯基板１２５は、基板収容部１３１に取り込まれる左右に長い帯板状の回路基板により形成され、前面にＬＥＤのような複数の光源１３５を左右方向に一列に備え、裏面の一隅部に１個の図外のコネクタを備える。複数の光源１３５およびコネクタは、表示灯基板１２５に設けられた箔状電線で相互に接続される。コネクタには、図１２の複合制御装置８３が図外の被覆電線に結線されたコネクタが接続される。表示灯基板１２５には、複数のねじ挿入孔１３６が、表示灯基板１２５への前後方向への貫通孔として形成される。
【００３８】
導光体１２６は、表示灯基板１２５に対応する左右に長い帯板状であって、上下方向の寸法である板厚が後側から前側に行くにしたがって徐々に薄くなっている。導光体１２６の前部には、一対の係合溝１３７が、導光体１２６の前方および上下方向に開口し、導光体１２６の前面から内部への窪みとして形成される。導光体１２６の後部には、取付部１３８が、導光体１２６の後部から下方に突出して設けられる。取付部１３８には、ねじ挿入孔１３９が、取付部１３８の下方および前後方向に開口し、取付部１３８の下面から内部に経の窪みとして形成される。導光体１２６の後端面は、光源１３５からの光を導光体１２６の内部に導入するための導入面１４０として構成される。導光体１２６の前端面は、導光体１２６の内部から光を放出する導出面１４１として構成される。導入面１４０の上下方向の寸法である厚さは、導出面１４１の上下方向の寸法である厚さよりも大きい。
【００３９】
表示灯基板１２５および導光体１２６は、見切り構造体７１に次のように取り付けられる。光源１３５が見切り構造体７１の裏側に向けられ、表示灯基板１２５が見切り構造体７１の裏側から基板収容部１３１に挿入され、光源１３５の発光部が上フランジ１３４よりも上方に配置され、タッピングスクリューのような止ねじ１４２が表示灯基板１２５の裏側からねじ挿入孔１３６を経由して基板取付部１３２に締結されることによって、表示灯基板１２５が見切り構造体７１に取り付けられる。また、導光体１２６の導出面１４１が見切り構造体７１の裏側に向けられ、導光体１２６の係合溝１３７が見切り構造体７１の裏側から導光係合部１２９に挿入され、タッピングスクリューのような止ねじ１４３が取付部１３８の裏側からねじ挿入孔１３９を経由して導光取付部１３０に締結されることによって、導光体１２６が見切り構造体７１に取り付けられる。これによって、光源１３５の発光部が導入面１４０と対向する。配線孔１３３には、図１２の複合制御装置８３を表示灯基板１２５に接続する図外の被覆電線が通される。
【００４０】
図１４を参照し、定形表示部材１０１の構造について説明する。定形表示部材１０１は、表示板１８１、レンズ体１８２、反射体１８３を備える。表示板１８１、レンズ体１８２、反射体１８３は、互いに別々に形成される。そして、表示板１８１、レンズ体１８２、反射体１８３が、互いに組み合わせられることによって、定形表示部材１０１を構成する。これによって、表示板１８１よりも光の乱射のための表面処理の施された高価なレンズ体１８２、表示板１８１よりも光の乱射のための表面処理の施された高価な反射体１８３を再使用し、レンズ体１８２および反射体１８３よりも安価な表示板１８１だけを新しい物に交換することによって、定形表示部材１０１で表示する照明表示を新しい物に交換できるという利点がある。
【００４１】
表示板１８１は、光を透過する性質の有る合成樹脂により板状に形成される。表示板１８１の裏面には、隔壁１８４が、図１５の画像表示不能空間Ｌにおける上に凸となる半月形の縁取りとして、表示板１８１から裏側に突出する。表示板１８１の裏面における隔壁１８４と表示板１８１の下縁部とで囲まれた半月形の面部が、定形照明表示領域１８５を構成する。定形照明表示領域１８５には、照明表示するための定形な図柄やキャラクタなどの装飾的な画像が印刷される。表示板１８１の隔壁１８４よりも外側の部分には、一対のばね逃孔１８６、一対のねじ挿入孔１８７が、前後方向への貫通孔として形成される。表示板１８１の左右端部には、挿入片１８８が設けられる。レンズ体１８２は、光を拡散する性質の有る無色な合成樹脂からなる、定形照明表示領域１８５と対応する半月形の板状であって、左右方向に直線的に延びる下縁部から半月形の上縁部に行くにしたがって前後方向の寸法である厚さが徐々に薄くなっている。レンズ体１８２の下縁部には、導入部１８９が、レンズ体１８２から裏側の斜め下方に突出する。
【００４２】
反射体１８３は、レンズ体１８２の裏面から裏側に抜けようとする光をレンズ体１８２の方に反射する性質の有る無色な合成樹脂により、表示板１８１と対応する形状の板状に形成される。反射体１８３の前面には、隔壁１９０が、上に凸となる半月形の縁取りとして、反射体１８３から前側に突出する。反射体１８３が表示板１８１の裏側に合わせられた場合、隔壁１９０が隔壁１８４の下側で隔壁１８４に接触する。表示板１８１の隔壁１８４よりも外側の部分には、一対のばね片１９１、一対のねじ挿入孔１９２、一対の挿入係合部１９３が設けられる。ばね片１９１は、一端部および上下部が反射体１８３から前側に突出し、他端部が反射体１８３に連接する、片持ち梁のような形状である。ねじ挿入孔１９２は、前後方向への貫通孔として表示板１８１に形成される。挿入係合部１９３は、表示板１８１の前面から前側に突出し、挿入片１８８を嵌め込む形状に表示板１８１に設けられる。表示板１８１の左右方向に直線的に延びる下縁部には、導入部１８９が前後方向への貫通孔として形成される。
【００４３】
表示板１８１とレンズ体１８２および反射体１８３からなる定形表示部材１０１は、遊技盤１５０に次のように取り付けられる。導入部１８９が反射体１８３の前側から導入部１８９に挿入され、レンズ体１８２の前面が表示板１８１の裏側から定形照明表示領域１８５に重ね合わされるように、表示板１８１と反射体１８３とがレンズ体１８２を間に挟むように互いに前後方向で重ね合わされると、一対のばね片１９１の他端部がばね逃孔１８６を経由して表示板１８１よりも前側に突出する。また、表示板１８１の中央が前側に突出し、表示板１８１の左右端部が後側となるように、作業者が表示板１８１の左右方向の寸法が縮む表示板１８１を弧状に撓ませ、一対の挿入片１８８が挿入係合部１９３に内側から挿入された後、上記作業者による表示板１８１への撓ませを作業者が解除すると、表示板１８１が左右方向に延びて板状となるように復元し、一対の挿入片１８８が挿入係合部１９３に装着される。これによって、表示板１８１とレンズ体１８２および反射体１８３が一体となって定形表示部材１０１を構成する。そして、表示板１８１の前面が遊技盤１５０の板状構造体１５２の裏面に接触され、タッピングスクリューのような止ねじ１９４が反射体１８３の裏側からねじ挿入孔１９２およびねじ挿入孔１８７を経由してねじ締結孔１７５に締結される。これによって、上記のように構成された定形表示部材１０１が遊技盤１５０の裏面に取り付けられる。
【００４４】
図１５を参照し、定形表示部材１０１を備えた遊技盤１５０が、表示灯基板１２５と導光体１２６および見切り構造体７１を備えた可動枠３に組みつけられた構造について説明する。図１２の支持部７３が見切り係合孔３４に嵌め込まれ、図１２の止ねじ１２８がねじ挿入孔１２７からねじ締結孔１２１に締結されることによって、表示灯基板１２５および導光体１２６を備えた見切り構造体７１が、可動枠３に取り付けられる。その後、図１５に示すように、定形表示部材１０１を備えた遊技盤１５０が、可動枠３の遊技主体収納室２９に取り付けられることによって、導入部１８９の裏面が導光体１２６の導出面１４１と離れて向き合う。この場合、導出面１４１の厚さが、導入部１８９の裏面の上下方向の寸法である厚さよりも小さい寸法に設定されているので、導出面１４１が全面的に導入部１８９の裏面と向き合う。また、導入面１４０の厚さが、光源１３５の発光部の上下方向の寸法である厚さよりも小さい寸法に設定されているので、導入面１４０が全面的に光源１３５の発光部の前面と向き合う。よって、光源１３５から放出された光が導光体１２６から導入部１８９を経由してレンズ体１８２の下部から上方に拡散し、レンズ体１８２の裏面から裏側に抜けようとする光が反射体１８３で前側に反射され、定形照明表示領域１８５が光源１３５からの光で鮮明に照明表示されるという利点がある。
【００４５】
導入部１８９の上面とレンズ体１８２の裏面との成す挟角が鈍角に設定されているので、光源１３５から導入部１８９に入射した光がレンズ体１８２の内部を上方に向けて適切に進行する。レンズ体１８２は下縁部から上縁部に行くにしたがって厚さが徐々に薄くなっているので、導入部１８９からレンズ体１８２の内部に入射した光がレンズ体１８２の上部に行くにしたがって反射回数が多くなって収束するので、定形照明表示領域１８５が全体的に一様に照明表示されるという利点がある。
【図面の簡単な説明】
【００４６】
【図１】遊技機枠の縦断面図（最良の形態）。
【図２】可動枠の模式的な正面図（最良の形態）。
【図３】可動枠と球払出装置の分解斜視図（最良の形態）。
【図４】可動枠と見切り構造体と遊技盤と定形表示部材との分解斜視図（最良の形態）。
【図５】画像表示装置を開いた可動枠の斜視図（最良の形態）。
【図６】定形表示部材の分解斜視図（最良の形態）。
【図７】遊技盤と定形表示部材との分解斜視図（最良の形態）。
【図８】定形表示部材の取り付けられた遊技盤の斜視図（最良の形態）。
【図９】図８のＡ−Ａ線断面図（最良の形態）。
【図１０】遊技機枠と遊技盤との分解斜視図（最良の形態）。
【図１１】遊技機枠と遊技盤と定形表示部材との縦断面図（最良の形態）。
【図１２】可動枠および見切り構造体の分解斜視図（異なる形態）。
【図１３】見切り構造体と表示灯基板および導光体の分解斜視図（異なる形態）。
【図１４】定形表示部材と遊技盤との分解斜視図（異なる形態）。
【図１５】遊技機枠と遊技盤と定形表示部材との縦断面図（異なる形態）。
【符号の説明】
【００４７】
１  遊技機枠、３  可動枠、２９  遊技主体収納室、４８  光源、５０  光源、
８１  画像表示装置、９０  表示画面、１０１  定形表示部材、１０２  表示ケース、
１０３  表示板、１０４  レンズ体、１２５  表示灯基板、１２６  導光体、
１３５  光源、１５０  遊技盤、１６２  遊技領域、１８１  表示板、
１８２  レンズ体、１８３  反射体、Ｌ  画像表示不能空間。
【図１】
2006150050.tif 000003
【図２】
2006150050.tif 000004
【図３】
2006150050.tif 000005
【図４】
2006150050.tif 000006
【図５】
2006150050.tif 000007
【図６】
2006150050.tif 000008
【図７】
2006150050.tif 000009
【図８】
2006150050.tif 000010
【図９】
2006150050.tif 000011
【図１０】
2006150050.tif 000012
【図１１】
2006150050.tif 000013
【図１２】
2006150050.tif 000014
【図１３】
2006150050.tif 000015
【図１４】
2006150050.tif 000016
【図１５】
2006150050.tif 000017